(57)【要約】【課題】親機側を受話状態に切り替えるために呼出釦を押し続ける手間を省いたインターホンシステムを提供する。【解決手段】ドアホン子器Ｂの呼出制御部３１は、呼出釦３０が押されると親機Ａに呼出信号を送出させる。親機Ａでは、呼出検出部８がドアホン子器Ｂからの呼出信号を検出すると、制御部１４が呼出状態で動作し、この呼出状態において通話釦が押されるとドアホン子器Ｂとの間の通話路を形成する。ここで、呼出釦３０が所定時間連続して押されてから離されると、呼出制御部３１から親機Ａに再度呼出信号が送出され、親機Ａでは呼出状態において呼出検出部８が再度呼出信号を検出すると、制御部１４が音声処理部４を制御して、ドアホン子器Ｂ側の音声をスピーカ３から出力させる受話状態に切り替えており、この受話状態において来訪者が話した音声が宅内のスピーカ３から拡声される。【選択図】図１
2005311618.tif 000002
【特許請求の範囲】
【請求項１】
宅外に設置されるドアホン子器と、宅内に設置され前記ドアホン子器からの呼出に応じて前記ドアホン子器との間に通話路を形成し当該通話路を介して前記ドアホン子器との間で通話する親機とを具備し、前記ドアホン子器は、通話用のスピーカ及びマイクと、親機側を呼び出すための呼出釦と、該呼出釦が押されると前記親機へ呼出信号を送出させる呼出信号送出手段とを備えるとともに、前記親機は、通話用のスピーカ及びマイクと、前記ドアホン子器から送出される呼出信号を検出する呼出信号検出手段と、ドアホン子器からの呼出に応答するための通話釦と、前記呼出信号検出手段が呼出信号を検出すると親機側及びドアホン子器側のスピーカから呼出音を鳴動させるとともに呼出状態に移行し、該呼出状態において前記通話釦が押されると前記ドアホン子器との間の通話路を形成する制御手段とを備え、前記呼出信号送出手段は、前記呼出釦が所定時間連続して押されてから離されると、再度呼出信号を前記親機へ送出し、前記制御手段は、前記呼出状態において前記呼出信号検出手段が再度呼出信号を検出すると、前記ドアホン子器との間の通話路を形成して、ドアホン子器のマイクで集音した音を親機のスピーカから拡声させる受話状態とすることを特徴とするインターホンシステム。
【請求項２】
宅外に設置されるドアホン子器と、宅内に設置され前記ドアホン子器からの呼出に応じて前記ドアホン子器との間に通話路を形成し当該通話路を介して前記ドアホン子器との間で通話する親機とを具備し、前記ドアホン子器は、通話用のスピーカ及びマイクと、親機側を呼び出すための呼出釦と、該呼出釦が押されると前記親機へ第１の呼出信号を送出させる呼出信号送出手段とを備えるとともに、前記親機は、通話用のスピーカ及びマイクと、前記ドアホン子器から送出される呼出信号を検出する呼出信号検出手段と、ドアホン子器からの呼出に応答するための通話釦と、前記呼出信号検出手段が第１の呼出信号を検出すると親機側及びドアホン子器側のスピーカから呼出音を鳴動させるとともに呼出状態に移行し、該呼出状態において前記通話釦が押されると前記ドアホン子器との間の通話路を形成する制御手段とを備え、前記呼出信号送出手段は、前記呼出釦が所定時間連続して押されてから離されると、前記第１の呼出信号とは異なる第２の呼出信号を前記親機へ送出し、前記制御手段は、前記呼出状態において前記呼出信号検出手段が第２の呼出信号を検出すると前記ドアホン子器との間の通話路を形成して、ドアホン子器のマイクで集音した音を親機のスピーカから拡声させる受話状態とすることを特徴とするインターホンシステム。
【請求項３】
前記呼出信号送出手段から親機へ送出される呼出信号が電圧信号からなることを特徴とする請求項１又は２記載のインターホンシステム。
【請求項４】
前記所定時間は、前記呼出音を出力させる時間幅以内の時間であることを特徴とする請求項１乃至３の何れか１つに記載のインターホンシステム。
【請求項５】
前記呼出信号検出手段は、前記呼出信号を検出してから前記所定時間が経過するまでの間、前記ドアホン子器からの呼出信号の検出処理を停止することを特徴とする請求項１乃至４の何れか１つに記載のインターホンシステム。
【請求項６】
前記制御手段は、前記呼出状態において前記呼出信号検出手段が呼出信号を検出すると前記ドアホン子器との間の通話路を形成して一定時間だけ受話状態とすることを特徴とする請求項１乃至５の何れか１つに記載のインターホンシステム。
【請求項７】
前記制御手段は、前記呼出状態において前記呼出信号検出手段が呼出信号を検出すると、少なくとも親機のスピーカから前記呼出音とは異なる報知音を鳴動させることを特徴とする請求項１乃至６の何れか１つに記載のインターホンシステム。
【発明の詳細な説明】
【技術分野】
【０００１】
本発明は、インターホンシステムに関するものである。
【背景技術】
【０００２】
従来より、宅外に設置されるドアホン子器と、宅内に設置される親機とで構成され、ドアホン子器からの呼出に応じて親機とドアホン子器との間に通話路が形成され、当該通話路を介して親機とドアホン子器との間で通話するインターホンシステムが提供されている。
【０００３】
図１１（ａ）はドアホン子器Ｂから親機Ａを呼び出す際の呼出シーケンスを示し、この図をもとに呼出動作について説明を行う。ドアホン子器Ｂの呼出釦を１回押し下げると、ドアホン子器Ｂから親機Ａに呼出信号が送出される（Ｓ１０）。親機Ａは、ドアホン子器Ｂからの呼出信号を検出すると、親機Ａのスピーカから呼出音を出力させるとともに、ドアホン子器Ｂへ呼出音出力信号を送出して、ドアホン子器Ｂのスピーカからも呼出音を出力させた後（Ｓ１１）、呼出状態に移行する（Ｓ１２）。そして、呼出状態において親機Ａの通話釦が押されると、親機Ａはドアホン子器Ｂとの間の通話路を形成して、ドアホン子器Ｂとの間で通話を行うようになっている。
【０００４】
この従来システムでは、ドアホン子器Ｂからの呼出に応じて親機Ａ側で通話釦を押すと、親機Ａとドアホン子器Ｂとの間の通話路が形成されるのであるが、通話釦を押すまではドアホン子器Ｂ側の音声が親機Ａ側では聞こえないため、来訪者が誰であるか判らなかった。したがって、宅内にいる家人は来訪者が誰であるか判らないまま、ドアホン子器Ｂからの呼出に応答しなければならず、使い勝手が悪かった。
【０００５】
そこで、ドアホン子器にテレビカメラを設けると共に、親機にモニタテレビを設け、ドアホン子器から親機へテレビカメラの映像信号を音声信号と多重化して伝送するテレビインターホンシステムが従来より提供されている。このシステムでは、ドアホン子器の呼出釦が押操作されると、テレビカメラが起動されて、テレビカメラの映像信号が親機に送出され、親機のテレビモニタに表示されるので、宅内にいる家人はモニタテレビの映像で来訪者を確認してから応答することが可能になった。
【０００６】
しかしながら、このインターホンシステムでも、ドアホン子器からの呼び出しに応じて呼出音が出力された際に、宅内にいる家人が親機の設置場所まで行って、モニタテレビの映像を確認しなければ、来訪者が誰かを判別できず、モニタテレビの映像で確認する必要のない家人が帰宅した場合でも、宅内の家人はモニタテレビの映像を確認してから玄関に迎えに行くため、確認の手間がかかるという問題があり、また帰宅した家人も宅内の家人がモニタテレビで確認してくれるまで入口で待たされていた。
【０００７】
そこで、図１１（ｂ）に示すように呼出釦の押し下げに応じてドアホン子器Ｂから親機Ａに呼出信号が送出され（Ｓ１０）、この呼出信号を受けて親機Ａが、親機Ａおよびドアホン子器Ｂのスピーカから呼出音を出力させて（Ｓ１１）、呼出状態に移行した状態で（Ｓ１２）、一旦離した呼出釦を再度押し下げ、連続して押し続けると、ドアホン子器Ｂから映像信号のブランキング部分に呼出信号を重畳させた信号が親機Ａに連続的に送出されて（Ｓ１３）、呼出釦が一定時間以上押し続けられたことを親機Ａが検出すると、親機Ａの動作が、ドアホン子器Ｂ側の音を親機Ａのスピーカから拡声させ、且つ、親機Ａ側の音はドアホン子器Ｂ側から出力させない受話状態（Ｓ１４）に呼出釦の押されている間だけ切り替わり、呼出釦が離されると呼出状態に戻る（Ｓ１５）ようにしたシステムも提案されており、親機Ａが受話状態に切り替わった状態で帰宅した家人がドアホン子器Ｂのマイクに話した音声を親機Ａのスピーカから拡声させることで、外出中の家人が帰宅したことを宅内の家人に判らせることができることができ、宅内にいる家人が親機の設置場所まで行って来訪者が家人か否かを確認する手間を省くことができる（例えば特許文献１参照）。
【特許文献１】特許第３４９７００３号公報
【発明の開示】
【発明が解決しようとする課題】
【０００８】
上述したインターホンシステムでは、ドアホン子器Ｂの呼出釦を一定時間以上長押しすると、親機Ａが、ドアホン子器Ｂ側の音をスピーカから拡声させる受話状態に切り替わるので、帰宅した家人がドアホン子器Ｂのマイクに話しかけることで、宅内にいる人に家人が帰宅したことを判らせることができるが、帰宅した家人は親機を受話状態に切り替えた後、マイクに話し終えるまでの間中ずっと呼出釦を押し続けなければならず、呼出釦を押し続ける手間がかかるという問題があった。
【０００９】
本発明は上記問題点に鑑みて為されたものであり、その目的とするところは、親機側を受話状態に切り替えるために呼出釦を押し続ける手間を省いたインターホンシステムを提供することにある。
【課題を解決するための手段】
【００１０】
上記目的を達成するために、請求項１の発明は、宅外に設置されるドアホン子器と、宅内に設置されドアホン子器からの呼出に応じてドアホン子器との間に通話路を形成し当該通話路を介してドアホン子器との間で通話する親機とを具備し、ドアホン子器は、通話用のスピーカ及びマイクと、親機側を呼び出すための呼出釦と、該呼出釦が押されると親機へ呼出信号を送出させる呼出信号送出手段とを備えるとともに、親機は、通話用のスピーカ及びマイクと、ドアホン子器から送出される呼出信号を検出する呼出信号検出手段と、ドアホン子器からの呼出に応答するための通話釦と、呼出信号検出手段が呼出信号を検出すると親機側及びドアホン子器側のスピーカから呼出音を鳴動させるとともに呼出状態に移行し、該呼出状態において通話釦が押されるとドアホン子器との間の通話路を形成する制御手段とを備え、呼出信号送出手段は、呼出釦が所定時間連続して押されてから離されると、再度呼出信号を親機へ送出し、制御手段は、呼出状態において呼出信号検出手段が再度呼出信号を検出すると、ドアホン子器との間の通話路を形成して、ドアホン子器のマイクで集音した音を親機のスピーカから拡声させる受話状態とすることを特徴とする。
【００１１】
請求項２の発明は、宅外に設置されるドアホン子器と、宅内に設置されドアホン子器からの呼出に応じてドアホン子器との間に通話路を形成し当該通話路を介してドアホン子器との間で通話する親機とを具備し、ドアホン子器は、通話用のスピーカ及びマイクと、親機側を呼び出すための呼出釦と、該呼出釦が押されると親機へ第１の呼出信号を送出させる呼出信号送出手段とを備えるとともに、親機は、通話用のスピーカ及びマイクと、ドアホン子器から送出される呼出信号を検出する呼出信号検出手段と、ドアホン子器からの呼出に応答するための通話釦と、呼出信号検出手段が第１の呼出信号を検出すると親機側及びドアホン子器側のスピーカから呼出音を鳴動させるとともに呼出状態に移行し、該呼出状態において通話釦が押されるとドアホン子器との間の通話路を形成する制御手段とを備え、呼出信号送出手段は、呼出釦が所定時間連続して押されてから離されると、第１の呼出信号とは異なる第２の呼出信号を親機へ送出し、制御手段は、呼出状態において呼出信号検出手段が第２の呼出信号を検出するとドアホン子器との間の通話路を形成して、ドアホン子器のマイクで集音した音を親機のスピーカから拡声させる受話状態とすることを特徴とする。
【００１２】
請求項３の発明は、請求項１又は２の発明において、呼出信号送出手段から親機へ送出される呼出信号が電圧信号からなることを特徴とする。
【００１３】
請求項４の発明は、請求項１乃至３の何れか１つの発明において、所定時間は、呼出音を出力させる時間幅以内の時間であることを特徴とする。
【００１４】
請求項５の発明は、請求項１乃至４の何れか１つの発明において、呼出信号検出手段は、呼出信号を検出してから所定時間が経過するまでの間、ドアホン子器からの呼出信号の検出処理を停止することを特徴とする。
【００１５】
請求項６の発明は、請求項１乃至５の何れか１つの発明において、制御手段は、呼出状態において呼出信号検出手段が呼出信号を検出するとドアホン子器との間の通話路を形成して一定時間だけ受話状態とすることを特徴とする。
【００１６】
請求項７の発明は、請求項１乃至６の何れか１つの発明において、制御手段は、呼出状態において呼出信号検出手段が呼出信号を検出すると、少なくとも親機のスピーカから呼出音とは異なる報知音を鳴動させることを特徴とする。
【発明の効果】
【００１７】
請求項１の発明によれば、ドアホン子器の呼出釦が押されると、呼出信号送出手段が呼出信号を親機へ送出し、この呼出信号を受けて親機の制御手段は呼出状態に移行しており、その後呼出釦が所定時間連続して押されてから離されると、呼出信号送出手段が再度呼出信号を親機へ送出し、親機の制御手段は、呼出状態において呼出信号検出手段が再度呼出信号を検出するとドアホン子器との間の通話路を形成して、ドアホン子器側からの音を親機側のスピーカから拡声させる受話状態としているので、この受話状態で来訪者がドアホン子器のマイクに話した音声が親機のスピーカから拡声されるから、宅内にいる家人は親機の設置場所まで行って応答しなくても来訪者が家人であることを容易に確認でき、しかも帰宅した家人はドアホン子器の呼出釦を所定時間だけ押し続ければ親機を受話状態として、ドアホン子器のマイクに話した音声を宅内の人に聴かせることができるから、従来のインターホンシステムのようにドアホン子器のマイクに話す間中も呼出釦を押し続ける手間が省け、使い勝手を向上させることができる。
【００１８】
請求項２の発明によれば、ドアホン子器の呼出釦が押されると、呼出信号送出手段が第１の呼出信号を親機へ送出し、この第１の呼出信号を受けて親機の制御手段は呼出状態に移行しており、その後呼出釦が所定時間連続して押されてから離されると、呼出信号送出手段が第２の呼出信号を親機へ送出し、親機の制御手段は、呼出状態において呼出信号検出手段が第２の呼出信号を検出するとドアホン子器との間の通話路を形成して、ドアホン子器側からの音を親機側のスピーカから拡声させる受話状態としているので、この受話状態で来訪者がドアホン子器のマイクに話した音声が親機のスピーカから拡声されるから、宅内にいる家人は親機の親機の設置場所まで行って応答しなくても来訪者が家人であることを容易に確認でき、しかも帰宅した家人はドアホン子器の呼出釦を所定時間だけ押し続ければ親機を受話状態として、ドアホン子器のマイクに話した音声を宅内の人に聴かせることができるから、従来のインターホンシステムのようにマイクに話す間中も呼出釦を押し続ける手間が省け、使い勝手を向上させることができる。さらに、親機の制御手段は、呼出状態において呼出信号検出手段が第２の呼出信号を検出するとドアホン子器との間の通話路を形成して受話状態としており、呼出釦を一旦離して、所定時間の経過後に再度押した場合は第１の呼出信号が２回送出されるので、この操作によって受話状態に切り替わることはなく、呼出釦が所定時間連続して押された場合のみ確実に受話状態とすることができる。
【００１９】
請求項３の発明によれば、呼出信号送出手段から親機へ送出される呼出信号が電圧信号であるので、ドアホン子器および親機に呼出信号を変調又は復調する回路が不要になり、呼出信号の送信回路および受信回路の構成を簡単にして、コストダウンを図ることができる。
【００２０】
請求項４の発明によれば、所定時間は、呼出音を出力させる時間幅以内の時間となっているので、呼出音が鳴り終わるまで呼出釦を押し続ければ、親機側を受話状態に切り替えることができ、呼出釦を離すタイミングを判りやすくできる。
【００２１】
請求項５の発明によれば、呼出信号検出手段は、ドアホン子器からの呼出信号を検出してから所定時間が経過するまでの間、呼出信号の検出処理を停止しているので、所定時間が経過するまでの間にノイズなどを呼出信号と誤検出するのを防止できる。
【００２２】
また、呼出釦の連続押しによって受話状態に切り替える際に受話状態が長時間続くと、宅外の周囲騒音が大きい場合は、周囲騒音が親機のスピーカから出力され続けるため、宅内にいる人が不快に感じるが、請求項６の発明によれば、一定時間だけ受話状態としているので、帰宅した家人が話すのに必要な一定期間のみ受話状態とすることで、不要な期間にも外部の騒音が親機のスピーカから出力され続けるのを防止できる。
【００２３】
請求項７の発明によれば、制御手段は、呼出状態において呼出信号検出手段が呼出信号を検出すると、少なくとも親機のスピーカから呼出音とは異なる報知音を鳴動させており、呼出音とは異なる報知音を鳴動させることで、呼出釦が所定時間以上長押しされたことを確認でき、帰宅した家人がドアホン子器のマイクに話しかけなくても、宅内にいる人はこの機能を知っている家人が帰宅したと判断することができる。
【発明を実施するための最良の形態】
【００２４】
以下に本発明の実施の形態を図面に基づいて説明する。
【００２５】
（実施形態１）
本実施形態のインターホンシステムは、図２に示すように宅外に設置されるドアホン子器Ｂと、宅内に設置され２線の信号線Ｌｓを介してドアホン子器Ｂに接続される親機Ａとで構成され、親機Ａとドアホン子器Ｂとの間では音声信号および映像信号がそれぞれベースバンド伝送方式および周波数変調方式により伝送される。
【００２６】
親機Ａは、図１に示すように、通話のためのマイク２およびスピーカ３からなる音声入出力部１と、マイク２で集音した音声信号を増幅するマイクアンプ５、および、スピーカ３への出力信号を増幅するスピーカアンプ６を具備し、マイクアンプ５で集音した音声信号（ドアホン子器Ｂへの送話信号）とスピーカ３への出力信号（ドアホン子器Ｂからの受話信号）の信号レベルを比較して相対的に低いレベルの信号経路に損失を挿入させることで相対的に高いレベルの信号を通過させて送話状態と受話状態とを切り替える音声処理部４と、商用電源から電源が供給され、ドアホン子器Ｂに信号線Ｌｓを介して動作電源を供給する給電部７と、信号線Ｌｓを介してドアホン子器Ｂから送出された呼出信号を検出する呼出検出部８と、親機Ａおよびドアホン子機Ｂのスピーカ３，２３から出力させるチャイム音のような音を生成する報知音生成部９と、報知音生成部９により生成された音出力信号を増幅するアンプ１０と、液晶ディスプレイのような表示部１１と、後述の多重化回路部１３を介して入力される映像信号を復調し、表示部１１を駆動して表示部１１に映像を表示させる映像処理部１２と、マイクアンプ５からの送話信号およびアンプ１０からの報知音信号を多重化して信号線Ｌｓに送出するとともに、ドアホン子器Ｂから多重化して送られた受話信号および映像信号を分離してそれぞれスピーカアンプ６、映像処理部１２に出力する多重化回路部１３と、制御部１４と、通話釦１６およびモニタ釦１７などの操作釦の操作を監視して各釦の操作入力を制御部１４に出力する操作入力部１５とを備える。
【００２７】
また親機Ａは直方体状の合成樹脂成型品からなる器体１８を備え、器体１８の内部には上記の音声入出力部１、音声処理部４、給電部７、呼出検出部８、報知音生成部９、アンプ１０、映像処理部１２、多重化回路部１３、制御部１４を構成する回路部品が収納され、前面に表示部１１と通話釦１６とモニタ釦１７とが配置されている。
【００２８】
一方、ドアホン子器Ｂは、通話のためのマイク２２およびスピーカ２３からなる音声入出力部２１と、マイク２２で集音した音声信号を増幅するマイクアンプ２５、および、スピーカ２３への出力信号を増幅するスピーカアンプ２６を具備し、マイクアンプ２５で集音した音声信号（親機Ａへの送話信号）とスピーカ２３への出力信号（親機Ａからの受話信号）の信号レベルを比較して相対的に低いレベルの信号経路に損失を挿入させることで相対的に高いレベルの信号を通過させて送話状態と受話状態とを切り替える音声処理部２４と、信号線Ｌｓの回線電圧を各部の動作電圧に変換して供給する受電部２７と、ＣＣＤなどの撮像素子を用いて来訪者を撮像するカメラ部２８と、カメラ部２８から出力される映像信号を変調して後述の多重化回路部３２に出力する映像処理部２９と、呼出釦３０の操作を監視し操作入力に応じて呼出信号を生成する呼出制御部３１（呼出信号送出手段）と、マイクアンプ２５からの送話信号および映像処理部２９からの映像信号を多重化して信号線Ｌｓに送出するとともに、親機Ａから多重化して送られた受話信号或いは音出力信号を映像信号と分離してスピーカアンプ２６に出力する多重化回路部３２とを備える。
【００２９】
ドアホン子器Ｂは直方体状の合成樹脂成型品からなる器体３４を備え、器体３４の内部には上記の音声入出力部２１、音声処理部２４、受電部２７、映像処理部２９、呼出制御部３１、多重化回路部３２を構成する回路部品が収納され、前面にはカメラ部２８や呼出釦３０が配置されている。
【００３０】
以下に本システムの基本的な呼出動作を説明する。ドアホン子器Ｂは親機Ａからの電源供給を受けて動作しており、呼出動作やモニタ動作が行われていない待機状態においては親機Ａの給電部７から呼出制御部３１や多重化回路部３２の動作に必要な最低限の待機電圧Ｖ１が供給され、待機状態で動作している。
【００３１】
そして、ドアホン子器Ｂが待機状態で動作中に来訪者によってドアホン子器Ｂの呼出釦３０が操作されると、呼出制御部３１が呼出釦３０の操作を検知してパルス信号よりなる呼出信号を生成し、この呼出信号は多重化回路部３２を介して親機Ａに送出される。親機Ａでは、呼出検出部８が多重化回路部１３を介して入力される呼出信号を検出すると、制御部１４が給電部７からドアホン子器Ｂへ動作時に必要な電圧Ｖ２（待機電圧Ｖ１よりも高い動作電圧）を供給させるとともに、報知音生成部９によりチャイム音のような呼出音を生成させ、生成された呼出音出力信号はスピーカアンプ６によって増幅されて、親機Ａのスピーカ３から宅内に出力されるとともに、多重化回路部３２を介してドアホン子器Ｂに送出される。また制御部１４は、呼出信号が入力されてから所定の呼出時間が経過するまでの間呼出状態で動作する。
【００３２】
このとき、ドアホン子器Ｂでは、受電部２７が親機Ａからの電圧供給を受けて各部に動作電圧を供給して、カメラ部２８を起動させ、映像処理部２９により変調された映像信号を多重化回路部３２を介して親機Ａに送出させるとともに、多重化回路部３２を介して入力された呼出音出力信号がスピーカアンプ２６によって増幅されて、ドアホン子器Ｂのスピーカ２３からも呼出音が出力される。また親機Ａでは、ドアホン子器Ｂからの映像信号が多重化回路部１３を介して映像処理部１２に入力され、映像処理部１２が映像信号を復調して表示部１１にカメラ部２８で撮像された来訪者の映像を表示させている。
【００３３】
その後、呼出状態において宅内の家人によって親機Ａの通話釦１６が押されると、通話釦１６の操作信号が操作入力部１５を介して制御部１４に入力され、制御部１４はドアホン子器Ｂとの間の通話路を形成して、ドアホン子器Ｂとの間で拡声通話を行えるようになっている。
【００３４】
なお、上記呼出状態において親機Ａの通話釦１６が押されなかった場合、制御部１４は呼出時間の経過後に呼出状態を終了して、給電部７からドアホン子器Ｂに供給される電圧を待機時の電圧Ｖ１に切り替え、ドアホン子器Ｂを待機状態で動作させる。
【００３５】
また待機状態において宅内の家人により親機Ａのモニタ釦１７が押されると、操作入力部１５がモニタ釦１７の操作を検知して操作入力を制御部１４に出力する。制御部１４は、操作入力部１５からモニタ釦１７の操作信号が入力されると、給電部７を制御してドアホン子器Ｂに動作電圧Ｖ２を供給させる。このときドアホン子器Ｂでは、親機Ａからの動作電圧の電圧供給を受けて、カメラ部２８を起動させ、カメラ部２８の映像信号を映像処理部２９により変調し、多重化回路部３２を介して親機Ａに送出させる。そして、親機Ａではドアホン子器Ｂから送出された映像信号を多重化回路部１３により分離し、映像処理部１２で復調して表示部１１に表示させているので、宅内にいる家人はドアホン子器Ｂのカメラ部２８で撮影された映像を表示部１１でモニタすることができる。
【００３６】
次に本システムの特徴的な機能である帰宅通知機能について図３及び図４を参照して説明する。来訪者（すなわち帰宅した家人）が帰宅通知を行うため時刻ｔ１においてドアホン子器Ｂの呼出釦３０を長押しすると、呼出制御部３１が呼出釦３０の操作を検知してパルス信号よりなる呼出信号ａを生成し、この呼出信号ａは多重化回路部３２により多重化され信号線Ｌｓを介して親機Ａに送出される（Ｓ１）。親機Ａでは、呼出検出部８が多重化回路部１３を介して入力される呼出信号ａを検出すると、制御部１４に検出信号を出力し、この検出信号に応じて制御部１４が給電部７を制御してドアホン子器Ｂへの供給電圧を待機電圧Ｖ１から動作電圧Ｖ２に増加させるとともに、報知音生成部９によりチャイム音のような呼出音を生成させ、この呼出音を親機Ａおよびドアホン子器Ｂのスピーカ３，２３から出力させ（Ｓ２）、所定の呼出時間が経過するまでの間呼出状態で動作する（Ｓ３）。このとき、ドアホン子器Ｂでは、受電部２７が親機Ａからの電圧供給を受けて各部に動作電圧を供給し、カメラ部２８を起動させ、カメラ部２８の映像信号を映像処理部２９により変調し、多重化回路部３２を介して親機Ａに送出させる。そして、親機Ａではドアホン子器Ｂから送出された映像信号を多重化回路部１３により分離し、映像処理部１２で復調して表示部１１に表示させており、カメラ部２８で撮像された来訪者の映像が親機Ａの表示部１１に表示される。
【００３７】
そして、来訪者が呼出釦３０を呼出時間よりも短い所定時間Ｔ１以上連続して押さえた後に呼出釦３０を離すと、この操作を呼出制御部３１が検知し、呼出釦３０が離された時刻ｔ２において再度呼出信号ａを生成し、この呼出信号ａが多重化回路部３２を介して親機Ａに送出される（Ｓ４）。ここで、親機Ａの制御部１４は、呼出状態において呼出検出部８が再度呼出信号ａを検出すると、音声処理部４を制御して、ドアホン子器Ｂ側からの音をスピーカ３から出力させる受話状態とする（Ｓ５）。制御部１４は、呼出制御部３１が最初に呼出信号ａを検出してから所定の呼出時間が経過するまでの間、音声処理部４を受話状態で動作させており、この受話状態において帰宅した家人がドアホン子器Ｂのマイク２２に話しかけると、マイク２２で集音された音声が親機Ａのスピーカ３から拡声されるから、宅内にいる家人はこの音声をもとに家人が帰宅したと判断できる。したがって、帰宅した家人がこの帰宅通知機能を用いれば、宅内にいる家人は、親機Ａの表示部１１に表示された映像を目視で確認したり、通話釦１６を押してドアホン子器Ｂとの間で通話しなくても家人が帰宅したことが判るので、来訪者の確認の手間を省くことができ、また帰宅した家人も入口で長時間待たされることがなく、使い勝手が向上する。さらに帰宅した家人はドアホン子器Ｂの呼出釦３０を所定時間Ｔ１だけ押し続ければ、呼出釦３０を離した後に親機Ａが受話状態に切り替わり、ドアホン子器Ｂのマイク２２に話した音声を宅内にいる家人に聴かせることができるから、従来のインターホンシステムのようにマイク２２に話す間中も呼出釦３０を押し続ける手間が省け、使い勝手がさらに向上するのである。
【００３８】
（実施形態２）
本発明の実施形態２を図５及び図６に基づいて説明する。なおインターホンシステムの基本的な構成は実施形態１と同様であるので、共通する構成要素には同一の符号を付して、図示及び説明は省略する。
【００３９】
上述の実施形態１では、呼出釦３０を所定時間Ｔ１以上長押しした後に離すと、この操作を呼出制御部３１が検知して再度呼出信号ａを生成し、この呼出信号ａが多重化回路部３２を介して親機Ａに送出させており、親機Ａの制御部１４は呼出状態において再度呼出信号ａが入力されると受話状態に切り替えている。したがって、来訪者が呼出釦３０を一旦離して、所定時間Ｔ１の経過後に再度押した場合も呼出信号ａが所定時間Ｔ１をおいて２回送出されるから、このような操作によっても親機Ａの制御部１４が受話状態に切り替える可能性がある。
【００４０】
そこで、本実施形態では、実施形態１で説明した帰宅通知時の動作において、図５及び図６に示すように呼出釦３０を所定時間Ｔ１以上長押しした後に離すと、この操作を呼出制御部３１が検知して、呼出釦３０が離された時点で呼出信号ａ（第１の呼出信号）とは異なる別の呼出信号ｂ（第２の呼出信号）を生成し、この呼出信号ｂを多重化回路部３２を介して親機Ａに送出させるとともに（図５のＳ４’）、親機Ａの制御部１４が、呼出状態において呼出検出部８が呼出信号ｂを検出すると、音声処理部４を制御して受話状態に切り替えている。なお呼出釦３０を所定時間Ｔ１以上長押しした後に離すと、呼出制御部３１が呼出信号ａとは異なる呼出信号ｂを送出し、この呼出信号ｂを受けて親機Ａの制御部が受話状態に移行する点以外は実施形態１で説明した帰宅通知時の動作と同様であるので、その説明は省略する。
【００４１】
このように、親機Ａの制御部１４は、呼出時（時刻ｔ１）に入力される呼出信号ａとは異なる呼出信号ｂを受けて受話状態に切り替えているので、呼出釦３０を一旦離して、所定時間Ｔ１の経過後に再度押した場合のように呼出信号ａが所定時間Ｔ１をおいて２回入力されたとしても、親機Ａが受話状態に切り替わることはなく、呼出釦３０が所定時間Ｔ１以上連続して押された場合のみ確実に受話状態とすることができる。
【００４２】
（実施形態３）
本発明の実施形態３を図７（ａ）（ｂ）に基づいて説明する。なおインターホンシステムの基本的な構成は実施形態１と同様であるので、共通する構成要素には同一の符号を付して、図示及び説明は省略する。
【００４３】
上述の実施形態１では呼出制御部３１がパルス信号よりなる呼出信号ａを生成しているのに対して、本実施形態では呼出制御部３１が、図７（ａ）に示すように電圧信号からなる呼出信号ａを生成し、この呼出信号ａを多重化回路部３２を介して親機Ａに送出させており、親機Ａの呼出検出部８が信号線Ｌｓの回線電圧の立下りを検出することで呼出信号ａの入力を検知している。
【００４４】
このように呼出制御部３１および呼出検出部８が電圧信号よりなる呼出信号ａを送信又は受信しているので、呼出制御部３１および呼出検出部８がパルス信号からなる呼出信号ａを送信又は受信する場合に比べて、呼出制御部３１および呼出検出部８の回路構成を簡単にでき、回路部品の部品数を削減して製造コストを低減することができる。
【００４５】
なお上述の実施形態２において呼出制御部３１が電圧信号よりなる呼出信号ａ，ｂを生成するようにしても良いことは言うまでもなく、例えば図７（ｂ）に示すように親機Ａの呼出検出部８が、待機状態において信号線Ｌｓの回線電圧の立ち下がりを検出することで呼出信号ａの入力を検知し、その後呼出状態において信号線Ｌｓの回線電圧の立ち上がりを検出することで呼出信号ｂの入力を検知するようにしても良い。
【００４６】
この場合も、親機Ａの制御部１４が呼出信号ａとは異なる呼出信号ｂを受けて受話状態に切り替わるので、呼出釦３０を一旦離して、所定時間Ｔ１の経過後に再度押した場合のように呼出信号ａが所定時間Ｔ１をおいて２回入力されたとしても、親機Ａが受話状態に切り替わることはなく、呼出釦３０が所定時間Ｔ１以上連続して押された場合のみ確実に受話状態とすることができる。
【００４７】
（実施形態４）
本発明の実施形態４を図８に基づいて説明する。なおインターホンシステムの基本的な構成は実施形態１と同様であるので、共通する構成要素には同一の符号を付して、図示及び説明は省略する。
【００４８】
本実施形態のインターホンシステムも、上述の実施形態２と同様に、呼出釦３０を所定時間Ｔ１以上長押しした後に離すと、この操作を呼出制御部３１が検知し、呼出釦３０が離された時点で呼出信号ｂを送出するのであるが、本実施形態ではこの所定時間Ｔ１を呼出音を出力させる時間幅以内の時間（例えば呼出音を出力させる時間幅と略同じ時間）に設定してある。
【００４９】
図８は帰宅通知時の動作を説明する説明図であり、帰宅した家人が帰宅通知を行うためドアホン子器Ｂの呼出釦３０を長押しすると、呼出制御部３１が呼出釦３０の操作を検知してパルス信号よりなる呼出信号ａを生成し、この呼出信号ａは多重化回路部３２により多重化され信号線Ｌｓを介して親機Ａに送出される（Ｓ１）。親機Ａでは、呼出検出部８が多重化回路部１３を介して入力される呼出信号ａを検出すると、制御部１４は給電部７を制御してドアホン子器Ｂへの供給電圧を待機電圧Ｖ１から動作電圧Ｖ２に増加させるとともに、報知音生成部９によりチャイム音のような呼出音Ｃ１を生成させ、この呼出音Ｃ１を親機Ａおよびドアホン子器Ｂのスピーカ３，２３から出力させる（Ｓ２）。このとき、ドアホン子器Ｂでは、受電部２７が親機Ａからの電圧供給を受けて各部に動作電圧を供給し、カメラ部２８を起動させ、カメラ部２８の映像信号を映像処理部２９により変調し、多重化回路部３２を介して親機Ａに送出させる。そして、親機Ａではドアホン子器Ｂから送出された映像信号を多重化回路部１３により分離し、映像処理部１２で復調して表示部１１に表示させており、カメラ部２８で撮像された来訪者の映像が親機Ａの表示部１１に表示される。
【００５０】
そして、帰宅した家人が呼出音Ｃ１の鳴り終えるタイミングで呼出釦３０を離すと、この操作を呼出制御部３１が検知し、呼出釦３０が離された時点で呼出信号ａとは異なる呼出信号ｂを生成し、この呼出信号ａが多重化回路部３２を介して親機Ａに送出される（Ｓ４’）。ここで、親機Ａの制御部１４は、呼出状態において呼出検出部８が呼出信号ｂを検出すると、報知音生成部９によりチャイム音のような報知音Ｃ２を生成させ、この報知音Ｃ２を親機Ａおよびドアホン子器Ｂのスピーカ３，２３から出力させるとともに（Ｓ６）、音声処理部４を制御して、ドアホン子器Ｂ側からの音をスピーカ３から出力させる受話状態とする（Ｓ５）。制御部１４は、呼出制御部３１が最初に呼出信号ａを検出してから所定の呼出時間が経過するまでの間、音声処理部４を受話状態で動作させており、この受話状態において帰宅した家人がドアホン子器Ｂのマイク２２に話しかけると、マイク２２で集音された音声が親機Ａのスピーカ３から拡声されるから、宅内にいる家人はこの音声をもとに家人が帰宅したと判断できる。
【００５１】
上述のように本実施形態では、所定時間Ｔ１を呼出音を出力させる時間幅と略同じ時間に設定してあるので、呼出音Ｃ１が鳴り終わるまで呼出釦３０を押し続け、鳴り終わるタイミングで呼出釦３０を離せば、親機Ａを受話状態に切り替えることができ、帰宅した家人が呼出釦３０を離すタイミングを判りやすくなり、使い勝手が向上する。また本実施形態では、親機Ａの呼出検出部８が呼出信号ｂを検出して検出信号を生成すると、この検出信号を受けて制御部１４が報知音生成部９により呼出音Ｃ１とは異なる報知音Ｃ２を生成して、親機Ａおよびドアホン子器Ｂのスピーカ３，２３から出力させているので、この報知音Ｃ２により、親機Ａが受話状態に切り替わったことを呼出釦３０を操作した家人に知らしめることができる。
【００５２】
尚、本実施形態では上述の実施形態２において所定時間Ｔ１を呼出音を出力させる時間幅と略同じ時間に設定しているが、他の実施形態においても所定時間Ｔ１を呼出音を出力させる時間幅以内の時間に設定しても良いことは言うまでもない。
【００５３】
（実施形態５）
本発明の実施形態５を図９に基づいて説明する。なおインターホンシステムの基本的な構成は実施形態１と同様であるので、共通する構成要素には同一の符号を付して、図示及び説明は省略する。
【００５４】
本実施形態の帰宅通知時の動作は上述した実施形態４の動作と略同様であり、呼出釦３０を長押しして呼出音が鳴り終わるタイミングで離すと、ドアホン子器Ｂから親機Ａに呼出信号ｂが送出され、この呼出信号ｂを受けて、親機Ａの制御部１４が音声処理部４を制御して受話状態に切り替えるのであるが、実施形態４では最初に呼出信号ａが入力されてから呼出時間が経過するまでの間、受話状態で動作させているのに対して、本実施形態では図９に示すように一定時間Ｔ２だけ受話状態に切り替えており（Ｓ５）、一定時間Ｔ２の経過後は呼出時間が経過するまでの間、呼出状態で動作させている（Ｓ７）。なお、親機Ａが呼出信号ｂの入力を受けて一定時間だけ受話状態に切り替える点と、受話状態に切り替える際に報知音Ｃ２を出力しない点とを除けば、実施形態４で説明した帰宅通知機能の動作と同様であるので、全般の動作説明は省略する。
【００５５】
ここで、呼出釦３０の連続押しによって受話状態に切り替える際に、呼出期間が終了するまでの間中受話状態とすると、宅外の周囲騒音が大きい場合は、周囲騒音が親機のスピーカから出力され続けるため、宅内にいる人が不快に感じるが、上述のように一定時間だけ受話状態とし、一定時間が経過すると呼出状態に戻しているので、帰宅した家人が話すのに必要な一定期間のみ受話状態とすることで、不要な期間に外部の騒音が親機Ａのスピーカ３から出力され続けるのを防止できる。
【００５６】
尚、本実施形態では上述の実施形態２において呼出釦３０を所定時間Ｔ１以上長押しすると親機Ａを一定時間だけ受話状態に切り替えているが、他の実施形態において受話状態とする期間を一定時間としても良いことは言うまでもない。
【００５７】
（実施形態６）
本発明の実施形態６を図１０に基づいて説明する。なおインターホンシステムの基本的な構成は実施形態１と同様であるので、共通する構成要素には同一の符号を付して、図示及び説明は省略する。
【００５８】
図１０に本実施形態の帰宅通知時の動作を示す。本実施形態の帰宅通知時の動作は上述した実施形態２の動作と略同様であり、呼出釦３０を所定時間Ｔ１だけ長押しした後に離すと、ドアホン子器Ｂから親機Ａに呼出信号ｂが送出され、この呼出信号ｂを受けて、親機Ａの制御部１４が音声処理部４を制御して受話状態に切り替えているのであるが、本実施形態では図５に示す動作において受話状態に切り替える前に親機Ａの制御部１４が報知音生成部９により呼出音Ｃ１とは異なる報知音Ｃ２の報知音出力信号を生成させ、この報知音出力信号をスピーカアンプ６により増幅させて親機Ａのスピーカ３から報知音Ｃ２を出力させると共に、多重化回路部１３を介して信号線Ｌｓに送出させるようにし、ドアホン子器Ｂにおいて多重化回路部３２により報知音信号を分離してスピーカアンプ２６に出力させ、スピーカアンプ２６で増幅してスピーカ２３から報知音Ｃ２を出力させている（図１０のＳ６）。また、実施形態２では最初に呼出信号ａが入力されてから呼出時間が経過するまでの間、受話状態で動作させているのに対して、本実施形態では一定時間Ｔ２だけ受話状態に切り替えており（Ｓ５）、一定時間Ｔ２の経過後は呼出時間が経過するまでの間、呼出状態で動作させている（Ｓ７）。
【００５９】
上述のように本実施形態では、親機Ａの制御部１４により受話状態に切り替えられる際に、呼出時に最初に出力される呼出音Ｃ１とは異なる報知音Ｃ２を親機Ａおよびドアホン子器Ｂのスピーカ３，２３から出力させているので、宅内にいる家人には上述の帰宅通知機能を知っている家人が呼出釦３０を長押ししたことを知らしめることができ、宅内の家人は親機Ａの表示部１１の映像を目視で確認したり、ドアホン子器Ｂとの間で通話を行うことなく、来訪者が家人である判断して、直ちに玄関に迎えに行くことができる。また呼出釦３０を所定時間長押しした家人にも、親機Ａが受話状態に切り替わったと確実に判るので、使い勝手が向上する。
【００６０】
尚、本実施形態では上述の実施形態２において呼出釦３０を所定時間Ｔ１以上長押しすると親機Ａおよびドアホン子器Ｂのスピーカ３，２３から呼出音Ｃ１とは異なる報知音Ｃ２を出力させるとともに、親機Ａを受話状態に切り替えているが、上述の他の実施形態においても、受話状態に切り替える際に親機Ａおよびドアホン子器Ｂのスピーカ３，２３から呼出音Ｃ１とは異なる報知音Ｃ２を出力させるようにしても良い。
【００６１】
また上述の各実施形態において、親機Ａの呼出制御部３１が、最初に呼出信号ａを検出してから所定時間Ｔ１が経過するまでの間、呼出信号の検出処理を停止するようにしても良く、ノイズなどを呼出信号と誤検出して誤動作をおこすのを防止できる。
【図面の簡単な説明】
【００６２】
【図１】実施形態１のインターホンシステムのブロック図である。
【図２】同上の概略構成図である。
【図３】同上の帰宅通知時の動作を説明する説明図である。
【図４】同上の信号線の回線電圧を示す波形図である。
【図５】実施形態２の帰宅通知時の動作を説明する説明図である。
【図６】同上の信号線の回線電圧を示す波形図である。
【図７】実施形態３の帰宅通知時の動作を示し、（ａ）（ｂ）は信号線の回線電圧の波形図である。
【図８】実施形態４の帰宅通知時の動作を説明する説明図である。
【図９】実施形態５の帰宅通知時の動作を説明する説明図である。
【図１０】実施形態６の帰宅通知時の動作を説明する説明図である。
【図１１】（ａ）（ｂ）は従来のインターホンシステムの呼出動作を説明する説明図である。
【符号の説明】
【００６３】
Ａ  親機
Ｂ  ドアホン子器
３  スピーカ
４  音声処理部
８  呼出検出部
１４  制御部
３０  呼出釦
３１  呼出制御部
【図１】
2005311618.tif 000003
【図２】
2005311618.tif 000004
【図３】
2005311618.tif 000005
【図４】
2005311618.tif 000006
【図５】
2005311618.tif 000007
【図６】
2005311618.tif 000008
【図７】
2005311618.tif 000009
【図８】
2005311618.tif 000010
【図９】
2005311618.tif 000011
【図１０】
2005311618.tif 000012
【図１１】
2005311618.tif 000013